【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
コンピュータ実装された人工神経系を操作するための方法であって、
前記人工神経系内の第１の人工ニューロンで刺激を受信することと、
前記第１の人工ニューロンで、前記刺激に少なくとも部分的に基づいて、２つ以上のスパイクのスパイク列を生成することと、
前記スパイク列の開始に少なくとも部分的に基づいて、前記刺激を識別することと、
前記識別された刺激に従って挙動をトリガすることと、
前記スパイク列内の前記スパイクのレートに少なくとも部分的に基づいて、前記識別された刺激を検査することと、
前記検査することが失敗した場合、前記識別された刺激に関連付けられた前記挙動を抑制すること、
ここにおいて、前記刺激を識別することが、前記人工神経系の第２の人工ニューロンで、前記スパイク列の前記開始に少なくとも部分的に基づいて、第１のスパイクと、前記スパイク列内のスパイクの前記レートに少なくとも部分的に基づいて、第２のスパイクとを生成することを備え、前記第２のスパイクが前記第１のスパイクの後に発生する、
を備える、方法。
【請求項２】
前記識別された刺激を検査することが、前記第１のスパイクと前記第２のスパイクとの間の間隔が前記識別された刺激に対応するかどうかを決定することを備える、請求項１に記載の方法。
【請求項３】
前記第１の人工ニューロンが受容体人工ニューロンであり、前記第２の人工ニューロンが、人工シナプスを介して前記受容体人工ニューロンに接続された検出器人工ニューロンである、請求項１に記載の方法。
【請求項４】
前記刺激の入力強度がスパイクの前記レートに比例し、前記スパイク列の前記開始に反比例する、請求項１に記載の方法。
【請求項５】
前記スパイク列内の一番先のスパイク、または前記スパイク列内の最初のスパイクのセットのうちの少なくとも１つに基づいて、前記スパイク列の前記開始を決定することをさらに備える、請求項１に記載の方法。
【請求項６】
基準信号と、前記スパイク列内の一番先のスパイクとの間の時間差に基づいて、前記スパイク列の前記開始を決定することをさらに備える、請求項１に記載の方法。
【請求項７】
スパイク確率の一時的な上昇に基づいて、前記スパイク列の前記開始を決定することをさらに備える、請求項１に記載の方法。
【請求項８】
ｉ）スパイクの前記レートが、前記開始が決定されるよりも長い時間の期間にわたって平均化される、
ｉｉ）前記検査することが失敗した場合、訂正された刺激で前記識別された刺激の表示を更新することをさらに備える、
ｉｉｉ）前記検査することが失敗した場合、通知を出力することをさらに備え、または、
ｉｖ）ここにおいて、前記生成することは、前記刺激と符号化方式とに少なくとも部分的に基づいて、前記スパイク列を生成することを備える、
のうちの１つを備える、請求項１に記載の方法。
【請求項９】
前記訂正された刺激に関連付けられる挙動を生成するために、追加信号を出力することをさらに備える、請求項８の選択肢ｉ）に記載の方法。
【請求項１０】
コンピュータ実装された人工神経系を操作するための装置であって、前記装置は下記を備える、
前記人工神経系内の第１の人工ニューロンで刺激を受信するための手段と、
前記第１の人工ニューロンで、前記刺激に少なくとも部分的に基づいて、２つ以上のスパイクのスパイク列を生成するための手段と、
前記スパイク列の開始に少なくとも部分的に基づいて、前記刺激を識別するための手段と、
前記識別された刺激に従って挙動をトリガするための手段と、
前記スパイク列内の前記スパイクのレートに少なくとも部分的に基づいて、前記識別された刺激を検査するための手段と、
前記検査することが失敗した場合、識別された刺激に関連付けられた前記挙動を抑制するための手段、
ここにおいて、前記刺激を識別するための手段が、前記人工神経系の第２の人工ニューロンで、前記スパイク列の前記開始に少なくとも部分的に基づいて、第１のスパイクと、
前記スパイク列内のスパイクの前記レートに少なくとも部分的に基づいて、第２のスパイクとを生成するための手段を備え、前記第２のスパイクが前記第１のスパイクの後に発生する。
【請求項１１】
人工神経系を操作するためのコンピュータプログラム製品であって、
前記人工神経系内の第１の人工ニューロンで刺激を受信することと、
前記第１の人工ニューロンで、前記刺激に少なくとも部分的に基づいて、２つ以上のスパイクのスパイク列を生成することと、
前記スパイク列の開始に少なくとも部分的に基づいて、前記刺激を識別することと、
前記識別された刺激に従って挙動をトリガすることと、
前記スパイク列内の前記スパイクのレートに少なくとも部分的に基づいて、前記識別された刺激を検査することと、
前記検査することが失敗した場合、識別された刺激に関連付けられた前記挙動を抑制すること、
ここにおいて、前記刺激を識別することが、前記人工神経系の第２の人工ニューロンで、前記スパイク列の前記開始に少なくとも部分的に基づいて、第１のスパイクと、
前記スパイク列内のスパイクの前記レートに少なくとも部分的に基づいて、第２のスパイクとを生成することを備え、ここにおいて、前記第２のスパイクが前記第１のスパイクの後に発生する、
を行うために実行可能な命令を有する非一時的コンピュータ可読媒体を備える、コンピュータプログラム製品。
【請求項１２】
人工神経系内の刺激を識別するための方法であって、
人工ニューロンで２つ以上のスパイクのスパイク列を受信することと、
前記スパイク列の開始に少なくとも部分的に基づいて、前記人工ニューロンから第１のスパイクを出力することと、
前記スパイク列内の前記スパイクのレートに少なくとも部分的に基づいて、前記人工ニューロンから第２のスパイクを出力することと、
を備える、方法。
【請求項１３】
ｉ）前記第１のスパイクと前記第２のスパイクとの間の間隔が、前記スパイク列の前記開始に少なくとも部分的に基づいて識別された前記刺激が正しいかどうかを検査するために使用される、
ｉｉ）前記第１のスパイクが前記刺激の推定に対応する、
ｉｉｉ）前記第２のスパイクが前記刺激の前記推定を改善するために使用される、
ｉｖ）前記第２のスパイクのタイミングが、前記スパイク列内の複数のスパイクの統合に基づく、
ｖ）前記刺激の入力強度がスパイクの前記レートに比例し、前記スパイク列の前記開始に反比例する、
のうちの１つを備える、請求項１２に記載の方法。
【請求項１４】
人工神経系内の刺激を識別するための装置であって、前記装置は下記を備える、
人工ニューロンで２つ以上のスパイクのスパイク列を受信するための手段と、
前記スパイク列の開始に少なくとも部分的に基づいて、前記人工ニューロンから第１のスパイクを出力するための手段と、
前記スパイク列内の前記スパイクのレートに少なくとも部分的に基づいて、前記人工ニューロンから第２のスパイクを出力するための手段。
【請求項１５】
人工神経系内の刺激を識別するためのコンピュータプログラム製品であって、
人工ニューロンで２つ以上のスパイクのスパイク列を受信することと、
前記スパイク列の開始に少なくとも部分的に基づいて、前記人工ニューロンから第１のスパイクを出力することと、
前記スパイク列内の前記スパイクのレートに少なくとも部分的に基づいて、前記人工ニューロンから第２のスパイクを出力することと、
を行うために実行可能な命令を有する非一時的コンピュータ可読媒体を備える、コンピュータプログラム製品。